【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
音響信号に、空間上の、移動自在な音像位置に定位された音像を付与する音像定位装置において、
音像位置を変更自在に指示する音像位置指示手段と、
音響信号を入力し、入力した音響信号を、前記音像位置指示手段により指示された音像位置に定位した音像が得られるように複数系統に分岐して出力する音像定位手段と、
前記音像定位手段から出力された各系統の音響信号それぞれを、遅延時間零を除く、それぞれ異なる遅延時間だけ遅延された２以上の分岐音響信号を含むとともに、遅延時間が零である分岐音響信号を含むことが許容されてなる複数の分岐音響信号に分岐して出力する制御分岐手段と、
前記分岐音響信号を各系統毎に合成して出力する合成手段とを備えたことを特徴とする音像定位装置。
【請求項２】
前記制御分岐手段は、前記音像定位手段から出力された各系統の音響信号それぞれを、遅延時間零を除く、それぞれ異なる遅延時間だけ遅延された２以上の分岐音響信号を含むとともに、遅延時間が零である分岐音響信号を含むことが許容されてなる複数の分岐音響信号であって、かつレベルがそれぞれ制御されてなる複数の分岐音響信号に分岐して出力するものであることを特徴とする請求項１記載の音像定位装置。
【請求項３】
音響信号に、空間上の、移動自在な音像位置に定位された音像を付与する音像定位装置において、
音響信号を入力し、入力した音響信号を、遅延時間零を除く、それぞれ異なる遅延時間だけ遅延された２以上の分岐音響信号を含むとともに、遅延時間が零である分岐音響信号を含むことが許容されてなる複数の分岐音響信号に分岐して出力する制御分岐手段と、
音像位置を変更自在に指示する音像位置指示手段と、
前記複数の分岐音響信号を、前記音像位置指示手段により指示された音像位置に定位した音像が得られるように複数系統の音響信号として出力する音像定位手段と、
前記音像定位手段から出力された音響信号を各系統毎に合成して出力する合成手段とを備えたことを特徴とする音像定位装置。
【請求項４】
前記音像位置指示手段は、変更自在な音像位置を表わす音像位置指示信号を出力するものであって、
前記音像位置指示信号を、遅延時間がそれぞれ異なる、それぞれが前記複数の分岐音響信号それぞれに対応する複数の分岐指示信号に分岐して出力する指示信号遅延分岐手段を備え、
前記音像定位手段は、前記複数の分岐音響信号それぞれについて対応する分岐指示信号が示す音像位置に定位した音像が得られるように、該複数の分岐音響信号を複数系統の音響信号として出力するものであることを特徴とする請求項３記載の音像定位装置。
【請求項５】
前記制御分岐手段は音響信号を入力し、入力した音響信号を、遅延時間零を除く、それぞれ異なる遅延時間だけ遅延された２以上の分岐音響信号を含むとともに、遅延時間が零である分岐音響信号を含むことが許容されてなる複数の分岐音響信号であって、かつレベルがそれぞれ制御されてなる複数の分岐音響信号に分岐して出力するものであることを特徴とする請求項３記載の音像定位装置。
【手続補正２】
【補正対象書類名】明細書
【補正対象項目名】０００６
【補正方法】変更
【補正の内容】
【０００６】
【課題を解決するための手段】
上記目的を達成する本発明の音像定位装置のうち第１の音像定位装置は、音響信号に、空間上の、移動自在な音像位置に定位された音像を付与する音像定位装置において、
（１−１）音像位置を変更自在に指示する音像位置指示手段
（１−２）音響信号を入力し、入力した音響信号を、音像位置指示手段により指示された音像位置に定位した音像が得られるように複数系統に分岐して出力する音像定位手段
（１−３）音像定位手段から出力された各系統の音響信号それぞれを、遅延時間零を除く、それぞれ異なる遅延時間だけ遅延された２以上の分岐音響信号を含むとともに、遅延時間が零である分岐音響信号を含むことが許容されてなる複数の分岐音響信号に分岐して出力する制御分岐手段
（１−４）分岐音響信号を各系統毎に合成して出力する合成手段
を備えたことを特徴とする。
ここで、上記本発明の第１の音像定位装置において、制御分岐手段は、音像定位手段から出力された各系統の音響信号それぞれを、遅延時間零を除く、それぞれ異なる遅延時間だけ遅延された２以上の分岐音響信号を含むとともに、遅延時間が零である分岐音響信号を含むことが許容されてなる複数の分岐音響信号であって、かつレベルがそれぞれ制御されてなる複数の分岐音響信号に分岐して出力するものであることが好ましい。


【手続補正３】
【補正対象書類名】明細書
【補正対象項目名】０００７
【補正方法】変更
【補正の内容】
【０００７】
また、上記目的を達成する本発明の音像定位装置のうちの第２の音像定位装置は、音響信号に、空間上の、移動自在な音像位置に定位された音像を付与する音像定位装置において、
（２−１）音響信号を入力し、入力した音響信号を、遅延時間零を除く、それぞれ異なる遅延時間だけ遅延された２以上の分岐音響信号を含むとともに、遅延時間が零である分岐音響信号を含むことが許容されてなる複数の分岐音響信号に分岐して出力する制御分岐手段
（２−２）音像位置を変更自在に指示する音像位置指示手段
（２−３）上記複数の分岐音響信号を、音像位置指示手段により指示された音像位置に定位した音像が得られるように複数系統の音響信号として出力する音像定位手段
（２−４）音像定位手段から出力された音響信号を各系統毎に合成して出力する合成手段
を備えたことを特徴とする。
ここで、上記本発明の第２の音像定位装置において、音像位置指示手段は、変更自在な音像位置を表わす音像位置指示信号を出力するものであって、
さらに、この第２の音像定位装置が、
（２−５）上記音像位置指示信号を、遅延時間がそれぞれ異なる、それぞれが複数の分岐音響信号それぞれに対応する複数の分岐指示信号に分岐して出力する指示信号遅延分岐手段を備え、
（２−６）上記音像定位手段は、複数の分岐音響信号それぞれについて対応する分岐指示信号が示す音像位置に定位した音像が得られるように、該複数の分岐音響信号を複数系統の音響信号として出力するものであることが好ましい。
また、上記本発明の第２の音像定位装置において、上記制御分岐手段は音響信号を入力し、入力した音響信号を、遅延時間零を除く、それぞれ異なる遅延時間だけ遅延された２以上の分岐音響信号を含むとともに、遅延時間が零である分岐音響信号を含むことが許容されてなる複数の分岐音響信号であって、かつレベルがそれぞれ制御されてなる複数の分岐音響信号に分岐して出力するものであることも好ましい形態である。


【手続補正４】
【補正対象書類名】明細書
【補正対象項目名】００１０
【補正方法】変更
【補正の内容】
【００１０】
上記（１−３）又は上記（２−１）の制御分岐手段が複数の音響信号それぞれのレベルを制御するものである場合、レベルの設定に関しても同様であり、それら複数の分岐音響信号それぞれのレベルをあらかじめ固定的に定めておいてもよく、あるいは演奏に先立ってないしは演奏中に設定、変更するための操作子を備えてもよく、あらかじめプログラムして記憶していてもよく、外部からの信号で設定、変更できるように構成してもよい。


【手続補正５】
【補正対象書類名】明細書
【補正対象項目名】００１１
【補正方法】変更
【補正の内容】
【００１１】
さらに、本発明の第１の音像定位装置の上記（１−３）の制御分岐手段における、分岐音響信号の遅延時間およびレベルを設定する遅延時間設定手段およびレベル設定手段を備え、設定された遅延時間およびレベルに応じた制御を行なうようにしてもよい。
本発明の第２の音像定位装置についても同様であり、上記（２−１）の制御分岐手段における分岐音響信号の遅延時間、および上記（２−５）の指示信号遅延分岐手段における分岐指示信号の遅延時間を設定する遅延時間設定手段と、上記（２−１）の制御分岐手段における分岐音響信号のレベルを設定するレベル設定手段を備え、設定された遅延時間およびレベルに応じた制御を行なうようにしてもよい。それらの設定の際は、横軸に遅延時間、縦軸にレベルを表示することが望ましい。さらに各遅延時間と各レベルとの組合せを予め記憶しておき、ユーザーによって選択可能にしてもよい。


【手続補正６】
【補正対象書類名】明細書
【補正対象項目名】００３２
【補正方法】変更
【補正の内容】
【００３２】
尚、本実施形態では音像定位回路１＿１，１＿２，１＿３の総合が本発明にいう音像定位手段に相当し、レベル制御回路３＿０，３＿１，３＿２、および、遅延回路２＿１，２＿２の総合が本発明にいう上記（２−１）の制御分岐手段に相当し、遅延回路６＿１，６＿２の総合が本発明の上記（２−５）の指示信号遅延分岐手段に相当する。